【手続補正書】
【提出日】平成16年12月14日(2004.12.14)
【手続補正１】
【補正対象書類名】明細書
【補正対象項目名】特許請求の範囲
【補正方法】変更
【補正の内容】
【特許請求の範囲】
【請求項１】
複数の画素を有する発光装置であって、
前記複数の画素はそれぞれ複数の副画素を有しており、
前記複数の副画素は発光素子をそれぞれ有しており、
前記複数の副画素は、有効発光面積が互いに等しいことを特徴とする発光装置。
【請求項２】
複数の画素を有する発光装置であって、
前記複数の画素はそれぞれ複数の副画素を有しており、
前記複数の副画素は発光素子及びＴＦＴをそれぞれ有しており、
前記発光素子に流れる電流は、前記ＴＦＴによって制御されており、
前記複数の副画素は、有効発光面積が互いに等しいことを特徴とする発光装置。
【請求項３】
請求項２において、前記複数の副画素がそれぞれ有する前記ＴＦＴの極性は全て同じであることを特徴とする発光装置。
【請求項４】
複数の画素を有する発光装置であって、
前記複数の画素はそれぞれ複数の副画素を有しており、
前記複数の副画素は発光素子、第１のＴＦＴ、第２のＴＦＴ及び第３のＴＦＴをそれぞれ有しており、
前記発光素子に流れる電流は、前記第２のＴＦＴによって制御されており、
前記複数の副画素は、有効発光面積が互いに等しいことを特徴とする発光装置。
【請求項５】
請求項１乃至請求項４のいずれか一項に記載された発光装置を用いることを特徴とする電子機器。
【請求項６】
請求項１乃至請求項４のいずれか一項に記載された発光装置の駆動方法であって、
前記複数の副画素のそれぞれにおいて前記発光素子が発光状態である期間の長さが、デジタルビデオ信号によって制御されることで、前記複数の画素のそれぞれにおいて表示される階調が制御されていることを特徴とする発光装置の駆動方法。
【請求項７】
請求項１乃至４のいずれか一項に記載された発光装置の駆動方法であって、
前記複数の副画素において、１フレーム期間中に複数のサブフレーム期間が出現し、
前記複数のサブフレーム期間のそれぞれにおいて、デジタルビデオ信号の各ビットによって、前記複数の副画素の前記発光素子が発光状態になるか非発光状態になるかが選択され、
前記複数の副画素のそれぞれにおいて前記発光素子が発光状態にあるサブフレーム期間の長さの総和が長くなればなるほど、前記複数の画素のそれぞれにおいて表示される階調数が高くなることを特徴とする発光装置の駆動方法。
【請求項８】
請求項４に記載された発光装置の駆動方法であって、
前記複数の副画素の全てにおいて、同じ期間に前記第１のＴＦＴがオンになり、
前記第１のＴＦＴがオンのときにデジタルビデオ信号の電位が前記第２のＴＦＴのゲート電極に与えられ、
前記デジタルビデオ信号の電位によって前記第２のＴＦＴのスイッチングが制御されることで、前記発光素子が発光状態になるか非発光状態になるかが選択され、
前記第３のＴＦＴがオンのときに前記発光素子は非発光状態になり、
前記複数の副画素のそれぞれにおいて前記発光素子が発光状態である期間の長さが、前記デジタルビデオ信号によって制御されることで、前記複数の画素のそれぞれにおいて表示される階調が制御されることを特徴とする発光装置の駆動方法。
【請求項９】
複数の画素を有する発光装置であって、
前記複数の画素はそれぞれ複数の副画素を有しており、
前記複数の副画素は発光素子、第１のＴＦＴ、第２のＴＦＴ、第３のＴＦＴ、ソース信号線、書き込み用ゲート信号線、消去用ゲート信号線及び電源供給線をそれぞれ有しており、
前記第１のＴＦＴのゲート電極は前記書き込み用ゲート信号線に接続されており、
前記第１のＴＦＴのソース領域とドレイン領域は、一方は前記ソース信号線に、もう一方は前記第２のＴＦＴのゲート電極に接続されており、
前記第２のＴＦＴのソース領域は前記電源供給線に、ドレイン領域は前記発光素子が有する画素電極に接続されており、
前記第３のＴＦＴのゲート電極は前記消去用ゲート信号線に接続されており、
前記第３のＴＦＴのソース領域とドレイン領域は、一方は前記電源供給線に、もう一方は前記第２のＴＦＴのゲート電極に接続されており、
前記複数の副画素は、有効発光面積が互いに等しいことを特徴とする発光装置。
【請求項１０】
複数の画素を有する発光装置であって、
前記複数の画素はそれぞれ複数の副画素を有しており、
前記複数の副画素は発光素子、第１のＴＦＴ、第２のＴＦＴ、第３のＴＦＴ、ソース信号線、消去用ゲート信号線及び電源供給線をそれぞれ有しており、
前記複数の副画素は、同一画素内において書き込み用ゲート信号線を共有しており、
前記第１のＴＦＴのゲート電極は前記書き込み用ゲート信号線に接続されており、
前記第１のＴＦＴのソース領域とドレイン領域は、一方は前記ソース信号線に、もう一方は前記第２のＴＦＴのゲート電極に接続されており、
前記第２のＴＦＴのソース領域は前記電源供給線に、ドレイン領域は前記発光素子が有する画素電極に接続されており、
前記第３のＴＦＴのゲート電極は前記消去用ゲート信号線に接続されており、
前記第３のＴＦＴのソース領域とドレイン領域は、一方は前記電源供給線に、もう一方は前記第２のＴＦＴのゲート電極に接続されており、
前記複数の副画素は、有効発光面積が互いに等しいことを特徴とする発光装置。
【請求項１１】
複数の画素を有する発光装置であって、
前記複数の画素はそれぞれ複数の副画素を有しており、
前記複数の副画素は発光素子、第１のＴＦＴ、第２のＴＦＴ、第３のＴＦＴ、ソース信号線、書き込み用ゲート信号線及び消去用ゲート信号線をそれぞれ有しており、
前記複数の副画素は同一画素内において電源供給線を共有しており、
前記第１のＴＦＴのゲート電極は前記書き込み用ゲート信号線に接続されており、
前記第１のＴＦＴのソース領域とドレイン領域は、一方は前記ソース信号線に、もう一方は前記第２のＴＦＴのゲート電極に接続されており、
前記第２のＴＦＴのソース領域は前記電源供給線に、ドレイン領域は前記発光素子が有する画素電極に接続されており、
前記第３のＴＦＴのゲート電極は前記消去用ゲート信号線に接続されており、
前記第３のＴＦＴのソース領域とドレイン領域は、一方は前記電源供給線に、もう一方は前記第２のＴＦＴのゲート電極に接続されており、
前記複数の副画素は、有効発光面積が互いに等しいことを特徴とする発光装置。
【請求項１２】
複数の画素を有する発光装置であって、
前記複数の画素はそれぞれ複数の副画素を有しており、
前記複数の副画素は発光素子、第１のＴＦＴ、第２のＴＦＴ、第３のＴＦＴ、ソース信号線及び消去用ゲート信号線をそれぞれ有しており、
前記複数の副画素は、同一画素内において書き込み用ゲート信号線及び電源供給線を共有しており、
前記第１のＴＦＴのゲート電極は前記書き込み用ゲート信号線に接続されており、
前記第１のＴＦＴのソース領域とドレイン領域は、一方は前記ソース信号線に、もう一方は前記第２のＴＦＴのゲート電極に接続されており、
前記第２のＴＦＴのソース領域は前記電源供給線に、ドレイン領域は前記発光素子が有する画素電極に接続されており、
前記第３のＴＦＴのゲート電極は前記消去用ゲート信号線に接続されており、
前記第３のＴＦＴのソース領域とドレイン領域は、一方は前記電源供給線に、もう一方は前記第２のＴＦＴのゲート電極に接続されており、
前記複数の副画素は、有効発光面積が互いに等しいことを特徴とする発光装置。
【請求項１３】
請求項９乃至請求項１２のいずれか一項において、前記複数の副画素がそれぞれ有する前記第１のＴＦＴの極性は全て同じであることを特徴とする発光装置。
【請求項１４】
請求項９乃至請求項１２のいずれか一項において、前記複数の副画素がそれぞれ有する前記第２のＴＦＴの極性は全て同じであることを特徴とする発光装置。
【請求項１５】
請求項９乃至請求項１２のいずれか一項において、前記複数の副画素がそれぞれ有する前記第３のＴＦＴの極性は全て同じであることを特徴とする発光装置。
【請求項１６】
請求項９乃至１５のいずれか一項に記載された発光装置の駆動方法であって、
前記複数の副画素がそれぞれ有する書き込み用ゲート信号線は同じ期間に選択され、
前記複数の副画素のそれぞれにおいて前記発光素子が発光状態である期間の長さが、前記ソース信号線に入力されるデジタルビデオ信号によって制御されることで、前記複数の画素のそれぞれにおいて表示される階調が制御されることを特徴とする発光装置の駆動方法。